(57)【要約】【課題】  電気的作用によるオゾンの強い酸化力を利用することにより、メンテナンスやランニングコストの問題を解消し、連続的に長期間に渡って室内の臭気または悪臭を分解除去する。【解決手段】  オゾンを生成するオゾン生成器３と、オゾン生成器３によって生成したオゾンにエアーを放射して、オゾンを拡散させるエアー放射装置４と、オゾン生成器３及びエアー放射装置４に電気を供給する電源装置と、オゾン生成器３及びエアー放射装置４を一体として収容する収容ケース１を備え、室内にオゾンを放散して、オゾンの作用により脱臭効果を得る。【選択図】        図１
0003108494.tif 000002
【実用新案登録請求の範囲】
【請求項１】
オゾンを生成するオゾン生成器と、オゾン生成器によって生成したオゾンにエアーを放射して、オゾンを拡散させるエアー放射装置と、オゾン生成器及びエアー放射装置に電気を供給する電源装置と、オゾン生成器及びエアー放射装置を一体として収容する収容ケースを備え、
室内にオゾンを放散して、オゾンの作用により脱臭効果を得るオゾン脱臭装置。
【請求項２】
装置の外観に装飾を付与し、室内のインテリアとして使用可能とした請求項１記載のオゾン脱臭装置。
【請求項３】
ゴミを収容するゴミ収容部と、ゴミの投入口を閉塞する開閉可能の蓋と、ゴミの収容部から仕切られて配置されたオゾン生成器、エアー放射装置、電源装置と、オゾン生成器によって生成したオゾンをゴミ収容部の上方に導入するホースを備え、
ゴミ収容部から発生する臭気をオゾンの作用により脱臭することを特徴とするオゾン脱臭装置。
【請求項４】
装置の稼動時間を設定するタイマを備えたことを特徴とする請求項１〜３いずれか記載のオゾン脱臭装置。
【請求項５】
オゾン濃度を測定する濃度検知機を備え、濃度検知機によって検知されたオゾンの濃度をフィードバックし、そのフィードバック値に基づいて装置の稼動を制御し、オゾンの濃度を一定に維持する構成とした請求項１〜４いずれか記載のオゾン脱臭装置。
【考案の詳細な説明】
【技術分野】
【０００１】
本考案は、オゾンを生成して脱臭を行うオゾン脱臭装置に関する。
【背景技術】
【０００２】
従来から、悪臭物質を含む空気を脱臭するために、活性炭やシリカゲル等の吸着剤による該物質の吸着、芳香剤によるマスキング等が行われていた。
そして、このような、脱臭装置に関する技術として特開２００３−２９３４２８号公報記載の技術が知られている。
【特許文献１】特開２００３−２９３４２８号公報
【考案の開示】
【考案が解決しようとする課題】
【０００３】
しかしながら、活性炭やシリカゲル等の吸着剤は、比較的寿命が短く、長期間の使用には耐えないという問題があった。また、頻繁に交換が必要となることから、メンテナンスや維持費の問題が発生する。
また、芳香剤によるマスキングは、根本的に悪臭を除去できず、しかも寿命が短いという問題があった。
本考案は、係る従来の問題点を解決するためになされたものであって、その目的とするところは、電気的作用によるオゾンの強い酸化力を利用することにより、メンテナンスやランニングコストの問題を解消し、連続的に長期間に渡って室内の臭気または悪臭を分解除去するオゾン脱臭装置を提供することにある。
【課題を解決するための手段】
【０００４】
前記目的を達成するための手段として、請求項１記載のオゾン脱臭装置では、オゾンを生成するオゾン生成器と、オゾン生成器によって生成したオゾンにエアーを放射して、オゾンを拡散させるエアー放射装置と、オゾン生成器及びエアー放射装置に電気を供給する電源装置と、オゾン生成器及びエアー放射装置を一体として収容する収容ケースを備え、室内にオゾンを放散して、オゾンの作用により脱臭効果を得る構成とした。
【０００５】
請求項２記載のオゾン脱臭装置では、請求項１記載のオゾン脱臭装置において、装置の外観に装飾を付与し、室内のインテリアとして使用可能とした。
【０００６】
請求項３記載のオゾン脱臭装置では、ゴミを収容するゴミ収容部と、ゴミの投入口を閉塞する開閉可能の蓋と、ゴミの収容部から仕切られて配置されたオゾン生成器、エアー放射装置、電源装置と、オゾン生成器によって生成したオゾンをゴミ収容部へ導入するホースを備え、ゴミ収容部から発生する臭気をオゾンの作用により脱臭する構成とした。
【０００７】
請求項４記載のオゾン脱臭装置では、請求項１〜３いずれか記載のオゾン脱臭装置において、装置の稼動時間を設定するタイマを備えている。
【０００８】
請求項５記載のオゾン脱臭装置では、請求項１〜４いずれか記載のオゾン脱臭装置において、オゾン濃度を測定する濃度検知機を備え、濃度検知機によって検知されたオゾンの濃度をフィードバックし、そのフィードバック値に基づいて装置の稼動を制御し、オゾンの濃度を一定に維持する構成とした。
【考案の効果】
【０００９】
本考案は上述のとおり構成されているので、次に記載する効果を奏する。
オゾンの強い酸化力により臭気成分の分解を行うので、吸着剤等の交換の必要がなく、メンテナンス費用、ランニングコストが低減される。
装置の外観に装飾を施す構成としたので、室内のインテリアとして自然に設置することができる。
ゴミ箱に適用するので、腐敗菌の発生を抑制し、腐敗による悪臭の発生を防止する。
また、オゾン濃度を測定する濃度検知機を備え、濃度検知機によって検知されたオゾンの濃度をフィードバックし、そのフィードバック値に基づいて装置の稼動を制御するので、室内のオゾンの濃度を一定に維持する。
【考案を実施するための最良の形態】
【００１０】
以下、本考案を実施するための最良の形態を説明する。
【実施例１】
【００１１】
第１実施例に係るオゾン脱臭装置は、図１、２に示すように、装置を支える収容ケースと１、その収容ケース１の上に配置された造花２と、収容ケース１内に収容されたオゾン生成器３、エアー放射装置４、変圧器５と、同じく収容ケース内に配置されて装置内で発生したエアー及びオゾンを導くホース６，７を主要な構成としている。
【００１２】
前記収容ケース１は合成樹脂製からなり、上面が開口し、底面及び側面は囲われて横長の収容部を有している。
上面の開口部には、その内周に嵌合する樹脂板８が備えられ、その樹脂板８の上側には造花２が植栽されている。
この、樹脂板８は取り外し可能とされ、造花の種類を取り替えることができ、装置のメンテナンス時には取り外してメンテナンスを行う。
前記造花２は、装置の美的外観を構成するものであり、室内のインテリアとしての効果が得られる。
【００１３】
前記オゾン生成器３は電気的作用によりオゾンを生成する装置であり、その構成としては特に限定されるものではないが、一例として、２枚の金属電極間に１枚以上の固体誘電体を挿入し、電極間に交流の高電圧を印加することにより、１枚の電極と誘電体間の間（ギャップ：１〜２mm）で発生する無声放電を用い、原料ガス中の酸素分子を解離させ、生成した酸素原子と酸素分子を反応させてオゾンを生成する。
また、オゾンを生成する他の手法として、紫外線ランプから大気中に紫外線を放射するものが知られている。すなわち、１３０ｎｍ〜２４２ｎｍ程度の波長の紫外線は、大気中の酸素分子を酸素原子に解離する作用があり、その酸素原子が、大気中の酸素分子、並びに他の酸素分子や窒素分子等の第三体分子との間で三体衝突を起こすことでオゾンが生成される。
【００１４】
前記エアー放射装置４は、エアーの吸引と排出を連続的に行うエアポンプであり、モータの回転を往復動に変換し、圧縮空気を送り出す構成となっている。また、他の方法として、ファンを回転して風力を発生させ、その風力を排出する構成のものを使用することができる。
前記エアー放射装置４と、オゾン生成器５はホース６によって連結され、稼動時にはエアー放射装置４からオゾン生成器３へエアーが送り込まれる。送り込まれたエアーはオゾンと合流し、排出ホース７へ送られる。そして、排出ホースの先端９からオゾンが排出される。
【００１５】
前記変圧器５は家庭用のコンセントにコード１０を介して接続し、電気の供給を受け、オゾン生成器３及びエアー放射装置４、その他内部機器に電気を提供する電源装置であり、使用可能な電圧に変換してオゾン生成器３及びエアー放射装置４に電気を提供する。
なお、電源装置としては別途、バッテリを搭載することも可能であり、自動車用の１２Ｖの電源から電気の供給を受ける構成としても良い。
【００１６】
また、装置の側面には稼動時間の設定ボタン１１が配置され、これを操作して装置の稼動時間を設定する。設定時間は連続運転のほか、１時間運転、２時間運転等の時間設定が可能であり、間欠運転も行うことができる。
【００１７】
装置のスイッチをオンにすると、家庭用のコンセントからコード１０を介して、変圧器５からオゾン生成器３及びエアー放射装置４へ電気が提供される。
オゾン生成器３ではオゾンが生成され、生成されたオゾンはエアー放射装置４からホース６によって送り込まれたエアーに流されて、排気ホース７へ送られる。
排気ホース７は装置内の所定の場所へ延長し、その先端９からオゾンが放射される。
収容ケース１では、ケースの側面または底面の孔または隙間からオゾンが外部へ排出される。
ここで、設定ボタン１１を操作し、タイマの設定を行うことにより、所定の時間が経過した後に装置の稼動が停止し、必要以上にオゾンが放射されるのを防止する。
【実施例２】
【００１８】
次に、図３に基づいて第２実施例に係るオゾン脱臭装置を説明する。
第２実施例に係るオゾン脱臭装置は、ゴミ箱に適用したものであり、その構成は、ゴミを収容する収容部１２と、ゴミの投入口を開閉する蓋１３と、ゴミ収容部１２の下部空間１４に配置された、オゾン生成器３、エアー放射装置４を主要な構成としている。
前記ゴミ収容部１２は上面が開口し、底面及び側面は囲われた合成樹脂製の箱状体である。下部空間には空気孔１６が形成され、ここから外気を吸い込み、オゾン生成器及びエアー放射装置へ空気を供給する。
開口部には蓋１３が配置され、一端が収容部１２の上端に蝶着され、足踏み式のペダル１５を踏むことにより、リンクを介してその動力が伝達され、蓋１３の一端が上下に開閉するようになっている。
蓋１３の内側にはオゾンの排出ホース７が備えられ、この排出ホース７はオゾン生成器３から延長したものであり、ゴミ収容部１２に堆積したゴミの上からオゾンを放出し、ゴミの表面に付着する腐敗菌の増殖を抑制して、悪臭の発生を防止する。
【００１９】
前記ゴミ収容部１２の底には仕切り板１７が配置され、この仕切り板１７によって、ゴミ収容部１２と下部空間１４が仕切られ、その下部空間には空気孔１６が備えられると共に、オゾン生成器３、エアー放射装置４、変圧器５と、エアー及びオゾンを導くホース６，７が収容されている。
これら、オゾン生成器３、エアー放射装置４、変圧器５は、第１実施例と同一の構成であり、変圧器５は家庭用のコンセントにコード１０を介して電気の供給を受け、オゾン生成器３及びエアー放射装置４に電気を提供する。
エアー放射装置４と、オゾン生成器３はホース６によって連結され、稼動時にはエアー放射装置４からオゾン生成器３へエアーが送り込まれる。送り込まれたエアーはオゾンと合流し、排出ホース７へ送られる。そして、排出ホース７はゴミ収容部の上端に達し、上方からオゾンを排出する。
第２実施例のオゾン脱臭装置では、ゴミ収容部１２が蓋１３によって閉塞され、上からオゾンを放出する構成としているので、悪臭の拡散が防止されると共に、悪臭は収容部内で確実に分解される。
なお、第１実施例と同様に、タイマの設定を行うことにより、所定の時間が経過した後に装置の稼動が停止し、必要以上にオゾンが放射されるのを防止する。
【００２０】
以上、本考案の実施例を説明してきたが、本考案の具体的な構成は本実施例に限定されるものではなく、考案の要旨を逸脱しない範囲の設計変更等があっても本考案に含まれる。
例えば、前記実施例において、オゾン濃度を測定する濃度検知機を備え、濃度検知機によって検知されたオゾンの濃度をフィードバックし、そのフィードバック値に基づいて装置の稼動を制御し、オゾンの濃度を一定に維持することも可能である。
この場合には、間欠運転を行い、数段階の濃度調整を可能とし、室内の場合には、オゾン発生濃度は０．０５ｐｐｍを超えないように設定する。
【図面の簡単な説明】
【００２１】
【図１】第１実施例に係るオゾン脱臭装置の正面図である。
【図２】第１実施例に係るオゾン脱臭装置の内部構造を示す平面図である。
【図３】第２実施例に係るオゾン脱臭装置の側面図である。
【符号の説明】
【００２２】
１  収容ケース
２  造花
３  オゾン生成器
４  エアー放射装置
５  変圧器
６  ホース
７  ホース
８  樹脂板
９  先端
１０  コード
１１  設定ボタン
１２  ゴミ収容部
１３  蓋
１４  下部空間
１５  ペダル
１６  空気孔
１７  仕切り板
【図１】
0003108494.tif 000003
【図２】
0003108494.tif 000004
【図３】
0003108494.tif 000005